(57)【要約】  空気調和機は、空気吸込口および空気吹出口が形成された室内機本体と、空気吸込口から空気を吸い込み、空気吹出口から吹き出す送風機と、空気吸込口から吸い込まれた空気を熱交換する熱交換器と、熱交換器の下方に設けられ、熱交換器から生成されるドレン水を捕集するドレンパンと、ドレンパン上に配置され、ドレン水に対して抗菌効果をもたらす抗菌剤を収納する抗菌剤ケースと、を備え、抗菌剤ケースは、底面側の側面がメッシュになっており、抗菌剤ケースのメッシュ間隔の大きさは、抗菌剤長の０．２５倍以上０．６２５倍以下である。
2019159284.tif 000002
【特許請求の範囲】
【請求項１】
空気吸込口および空気吹出口が形成された室内機本体と、
前記空気吸込口から空気を吸い込み、前記空気吹出口から吹き出す送風機と、
前記空気吸込口から吸い込まれた空気を熱交換する熱交換器と、
前記熱交換器の下方に設けられ、前記熱交換器から生成されるドレン水を捕集するドレンパンと、
前記ドレンパン上に配置され、ドレン水に対して抗菌効果をもたらす抗菌剤を収納する抗菌剤ケースと、を備え、
前記抗菌剤ケースは、底面側の側面がメッシュになっており、
前記抗菌剤ケースのメッシュ間隔の大きさは、初期の抗菌剤長の０．２５倍以上０．６２５倍以下である
空気調和機。
【請求項２】
前記抗菌剤ケースは、底面がメッシュになっている
請求項１に記載の空気調和機。
【請求項３】
前記抗菌剤ケースの前記メッシュは、少なくとも２つのメッシュ間隔を有し、
下側の方が上側よりもメッシュ間隔が小さい
請求項１または２に記載の空気調和機。
【発明の詳細な説明】
【技術分野】
【０００１】
本発明は、熱交換器から生成されるドレン水内での雑菌の繁殖を抑制する空気調和機に関するものである。
【背景技術】
【０００２】
従来の空気調和機、例えば４方向カセット形空気調和機は、熱交換器および送風機を備え、熱交換器の下方には、熱交換器によって凝縮生成されたドレン水を受け止めるドレンパンが設けられている。そのドレンパンに捕集されたドレン水は、ドレンポンプ、ドレン配管を通して空気調和機の外部へ排出される。【０００３】
ドレン水には、空気中の雑菌やカビが入り込み、繁殖しやすい。雑菌やカビが繁殖すると、ドレンパン内にスライムが生成され、悪臭やドレン配管の詰まりなどの排水不良を起こす原因になる恐れがある。そこで、抗菌剤と、抗菌剤を収容する抗菌剤容器とを備え、抗菌剤が収容された抗菌剤容器をドレンパン内に配置することで、ドレンパンに捕集されたドレン水に雑菌やカビが繁殖することを抑制した空気調和機がある（例えば、特許文献１参照）。
【先行技術文献】
【特許文献】
【０００４】
【特許文献１】特開２０１４−１３７２０２号公報
【発明の概要】
【発明が解決しようとする課題】
【０００５】
特許文献１のような従来の空気調和機は、抗菌剤が収容された抗菌剤容器をドレンパン内に配置されているが、抗菌剤がドレン水に浸漬すると早く溶出してしまい、寿命が短いという課題があった。【０００６】
本発明は、以上のような課題を解決するためになされたもので、抗菌剤が収納された抗菌剤ケースがドレンパン内に配置されても抗菌剤の寿命を長くすることができる空気調和機を提供することを目的としている。
【課題を解決するための手段】
【０００７】
本発明に係る空気調和機は、空気吸込口および空気吹出口が形成された室内機本体と、前記空気吸込口から空気を吸い込み、前記空気吹出口から吹き出す送風機と、前記空気吸込口から吸い込まれた空気を熱交換する熱交換器と、前記熱交換器の下方に設けられ、前記熱交換器から生成されるドレン水を捕集するドレンパンと、前記ドレンパン上に配置され、ドレン水に対して抗菌効果をもたらす抗菌剤を収納する抗菌剤ケースと、を備え、前記抗菌剤ケースは、底面側の側面がメッシュになっており、前記抗菌剤ケースのメッシュ間隔の大きさは、初期の抗菌剤長の０．２５倍以上０．６２５倍以下である。
【発明の効果】
【０００８】
本発明に係る空気調和機によれば、抗菌剤ケースは、底面側の側面がメッシュになっており、抗菌剤ケースのメッシュ間隔の大きさは、抗菌剤長の０．２５倍以上０．６２５倍以下である。そのため、抗菌剤が収納された抗菌剤ケースがドレンパン内に配置されても、抗菌剤の乾く速度を速め、初期の過度な抗菌剤の流出を抑制することができるため、抗菌剤の寿命を長くすることができる。
【図面の簡単な説明】
【０００９】
【図１】本発明の実施の形態に係る空気調和機の据付状態を示す斜視図である。
【図２】本発明の実施の形態に係る空気調和機の内部構成を示す模式図である。
【図３】本発明の実施の形態に係る空気調和機のドレンパンおよび熱交換器を平面視した模式図である。
【図４】図３のＡ−Ａ線の矢視断面模式図である。
【図５】本実施の形態に係る空気調和機の抗菌剤ケースの側面を示す模式図である。
【図６】（メッシュ間隔）／（１年後の抗菌剤長）と０．２７［ｍｇ／Ｌ］以上となる年数との関係を示す図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
ここで、本実施の形態に係る空気調和機の定義を説明する。本実施の形態に係る空気調和機は、空調空間の天井側に埋込状態あるいは吊下げ状態で設置され、室内空気を熱交換する熱交換器と、熱交換器の下方に設置され熱交換器から生成されるドレン水を捕集するドレンパンと、ドレンパンに捕集されたドレン水に雑菌やカビが繁殖することを抑制するための抗菌剤と、抗菌剤を収容する抗菌剤容器とを備えた空気調和機である。具体的には、天井埋込形空気調和機、天吊形空気調和機、および、壁掛け形空気調和機などである。ここでは、天井埋込形空気調和機（４方向カセット形）を例に挙げ以下の説明を行う。ただし、天井埋込形空気調和機（４方向カセット形）はあくまでも一例であり、これに限定されるものではない。
【００１２】
実施の形態．
図１は、本発明の実施の形態に係る空気調和機の据付状態を示す斜視図である。図２は、本発明の実施の形態に係る空気調和機の内部構成を示す模式図である。
本実施の形態に係る空気調和機は、図１に示すように室内機本体１００を備え、室内機本体１００は、筐体１と化粧パネル３とが結合されることにより構成されている。化粧パネル３は、中央部に空気吸込口５が形成されているとともに、その空気吸込口５を囲うように空気吹出口４が形成されている。
【００１３】
空気吸込口５には、図２に示すようにグリル１０とエアフィルター１１とが設けられており、空気吹出口４には、風向を調節する風向ベーン２が設けられている。
【００１４】
室内機本体１内部の天面側の中央部には、送風機７とそれを駆動させる電動機６とが設けられている。また、送風機７の吹き出し側には、送風機７の外側を囲うように熱交換器８が設けられている。また、熱交換器８は、空気吸込口５の下流側かつ空気吹出口４の上流側に配置されており、空気吸込口５から室内機本体１内部に取り込まれた室内の空気は、熱交換器８を通過する際にそこで熱交換器した後、空気吹出口４から室内に吹き出される。
【００１５】
熱交換器８の下方には、この熱交換器８から生成されるドレン水を捕集するためのドレンパン９が当該熱交換器８に沿って設けられている。なお、ドレンパン９で捕集したドレン水は、ドレン配管（図示せず）から空気調和機１外部に排出される。
【００１６】
図３は、本発明の実施の形態に係る空気調和機のドレンパン９および熱交換器８を平面視した模式図である。図４は、図３のＡ−Ａ線の矢視断面模式図である。
図３および図４に示すようにドレンパン９上には、ドレン水に対して抗菌効果をもたらす抗菌剤を収納する抗菌剤ケース１２が配置されている。そのため、抗菌剤ケース１２の底面は、ドレンパン９上に溜まったドレン水に浸漬するようになっている。また、抗菌剤ケース１２は、底面および底面側の側面がメッシュ１３になっている。
【００１７】
図５は、本実施の形態に係る空気調和機の抗菌剤ケース１２の側面を示す模式図である。
次に、図５に示す本実施の形態に係る抗菌剤ケース１２のメッシュ１３のメッシュ間隔１４について説明する。なお、本実施の形態では、抗菌剤ケース１２のメッシュ１３のメッシュ間隔１４は、縦方向と横方向とで同じ間隔とする。
【００１８】
［抗菌目標］
抗菌剤ケース１２のメッシュ１３のメッシュ間隔１４を決定するにあたり、ドレンポンプ（図示せず）が停止する時間、つまり冷房が停止する時間を夜から朝にかけての８時間とし、細菌数およびカビ数が８時間後に２桁減となることを抗菌目標とした。
【００１９】
［抗菌目標を達成できる銀イオン濃度の算出］
ドレン模擬水として、細菌数：１．６×１０６ＣＦＵ／ｍＬ、カビ数：４．４×１０３ＣＦＵ／ｍＬを入れた水１００ｍＬを準備した。なお、ＣＦＵ（Ｃｏｌｏｎｙ  Ｆｏｒｍｉｎｇ  Ｕｎｉｔ）は、菌量を表す単位で、コロニーを形成する能力のある単位数である。その水に、抗菌剤濃度が０、０．５９、１．２［ｇ／Ｌ］となるように抗菌剤を０、０．５９、１．２［ｇ］それぞれ投入した。そのときの個々の銀イオン濃度は０、０．１２、０．２７［ｍｇ／Ｌ］であった。なお、銀イオンが抗菌剤成分である。
【００２０】
０時間後と８時間後との生存率を比較すると、細菌数においては、抗菌剤濃度が０［ｇ／Ｌ］では０桁減、０．５９［ｇ／Ｌ］では１桁減、１．２［ｇ／Ｌ］では５桁減であった。カビ数においては、抗菌剤濃度が０［ｇ／Ｌ］では０桁減、０．５９［ｇ／Ｌ］では１桁減、１．２［ｇ／Ｌ］では２桁減であった。したがって、抗菌目標８時間で２桁減を達成するのは、銀イオン濃度が０．２７［ｍｇ／Ｌ］であった抗菌剤濃度が１．２［ｇ／Ｌ］であった。以上の結果を表１に示す。
【００２１】
【表１】
2019159284.tif 000003
【００２２】
以上より、銀イオン濃度が０．２７［ｍｇ／Ｌ］あれば、抗菌目標８時間で細菌数およびカビ数の２桁減を達成できると考えられる。
【００２３】
[「メッシュ間隔／１年後の抗菌剤長」と「推定される銀イオン濃度」との関係]
図４に示すように、メッシュ１３は抗菌剤ケース１２の底面および底面側の側面に形成されている。
今回、抗菌剤ケース１２のメッシュ１３のメッシュ間隔１４を１ｍｍ、２ｍｍ、３ｍｍ、４ｍｍ、５ｍｍとした５種類を用意し、それらに対してサイズが８ｍｍ角の抗菌剤をそれぞれ使用した。上記５種類の抗菌剤ケース１２のそれぞれに抗菌剤を入れ、１年間冷暖房運転した。１年間冷暖房運転後の抗菌剤のサイズは５ｍｍであった。
【００２４】
図６は、（メッシュ間隔）／（１年後の抗菌剤長）と０．２７［ｍｇ／Ｌ］以上となる年数との関係を示す図である。
ドレン水中の銀イオン濃度は使用期間が長くなるにつれ小さくなる。ドレンパン水中の銀イオン濃度が限界濃度０．２７［ｍｇ／Ｌ］以上を保った期間を表２に示す。また、表２をグラフ化したのが図６である。
【００２５】
【表２】
2019159284.tif 000004
【００２６】
抗菌剤の寿命設定を１年間とすると、図６の斜線部であれば、設定寿命を保てる範囲となる。つまり、表２に示すように抗菌剤ケース１２のメッシュ１３のメッシュ間隔１４が２ｍｍ以上であれば、設定寿命を保つことができる。
【００２７】
メッシュ間隔／１年後の抗菌剤長が０．８以下の場合、それが大きくなるにつれ、銀イオン濃度が０．２７［ｍｇ／Ｌ］以上となる年数が増える。これは、メッシュ間隔／１年後の抗菌剤長が０．８より小さい場合、メッシュ間隔１４が大きくなるほど、メッシュ間およびメッシュ１３と抗菌剤とのすき間に水が溜まりにくくなり、ドレンパン９の水が抗菌剤に移りにくくなり、乾燥速度が速くなり、初期の過度な抗菌剤流出が抑えられたため、抗菌剤の寿命が長くなったと考えられる。
【００２８】
また、メッシュ間隔／１年後の抗菌剤長が０．８より大きい場合、それが大きくなるにつれ、イオン濃度が０．２７［ｍｇ／Ｌ］以上となる年数が減る。これは、メッシュ間隔１４が大きいために、ドレン水が直に抗菌剤に触れやすくなり、抗菌剤の初期の流出が大きくなったため、抗菌剤の寿命が短くなったと考えられる。
【００２９】
よって、抗菌剤の寿命設定を１年間とすると、メッシュ間隔１４を１年後の抗菌剤長の０．４倍以上１．０倍以下、または、メッシュ間隔１４を初期の抗菌剤長の０．２５倍以上０．６２５倍以下とすることで、抗菌剤の乾く速度を速め、初期の過度な抗菌剤の流出を抑制することができ、１年間の寿命を保つことができる。
【００３０】
なお、抗菌剤ケース１２のメッシュ１３が抗菌剤ケース１２の底面側の側面にのみ形成されたものを用いることもできる。かかる構成によれば、ドレン水に浸漬し易く抗菌剤が溶け易い抗菌剤ケース１２の底面がメッシュ１３ではないため、初期の過度な抗菌剤流出が抑えられ、抗菌剤の寿命を長くすることができる。
【００３１】
また、抗菌剤ケース１２に、大きさの異なる少なくとも２つのメッシュ間隔を設け、かつ、抗菌剤ケース１２の底面側に近いほど小さいメッシュ間隔を設けることができる。かかる構成によれば、抗菌剤が溶け易い底面側に近いほどメッシュ間隔を小さくして、溶解して小さくなった抗菌剤の脱落を防止することにより抗菌剤の寿命を長くすることができる。ただし、メッシュ間隔１４は、１年後の抗菌剤長の０．４倍以上であることが望ましい。
【００３２】
以上、本実施の形態に係る空気調和機は、空気吸込口５および空気吹出口４が形成された室内機本体１００と、空気吸込口５から空気を吸い込み、空気吹出口４から吹き出す送風機７と、空気吸込口５から吸い込まれた空気を熱交換する熱交換器８と、熱交換器８の下方に設けられ、熱交換器８から生成されるドレン水を捕集するドレンパン９と、ドレンパン９上に配置され、ドレン水に対して抗菌効果をもたらす抗菌剤を収納する抗菌剤ケース１２と、を備え、抗菌剤ケース１２は、底面側の側面がメッシュ１３になっており、抗菌剤ケース１２のメッシュ間隔１４の大きさは、抗菌剤長の０．２５倍以上０．６２５倍以下である。
【００３３】
本実施の形態に係る空気調和機によれば、抗菌剤ケース１２は、底面側の側面がメッシュ１３になっており、抗菌剤ケース１２のメッシュ間隔１４の大きさは、抗菌剤長の０．２５倍以上０．６２５倍以下である。そのため、抗菌剤が収納された抗菌剤ケース１２がドレンパン９内に配置されても、抗菌剤の乾く速度を速め、初期の過度な抗菌剤の流出を抑制することができるため、抗菌剤の寿命を長くすることができる。
【００３４】
また、本実施の形態に係る空気調和機の抗菌剤ケース１２のメッシュ１３は、少なくとも２つのメッシュ間隔を有し、下側の方が上側よりもメッシュ間隔が小さい。本実施の形態に係る空気調和機によれば、抗菌剤が溶け易い底面側に近いほどメッシュ間隔１４を小さくして、溶解して小さくなった抗菌剤の脱落を防止することにより抗菌剤の寿命を長くすることができる。
【符号の説明】
【００３５】
１  筐体、２  風向ベーン、３  化粧パネル、４  空気吹出口、５  空気吸込口、６  電動機、７  送風機、８  熱交換器、９  ドレンパン、１０  グリル、１１  エアフィルター、１２  抗菌剤ケース、１３  メッシュ、１４  メッシュ間隔、１００  室内機本体。
【図１】
2019159284.tif 000005
【図２】
2019159284.tif 000006
【図３】
2019159284.tif 000007
【図４】
2019159284.tif 000008
【図５】
2019159284.tif 000009
【図６】
2019159284.tif 000010
【手続補正書】
【提出日】令和2年5月22日(2020.5.22)
【手続補正１】
【補正対象書類名】明細書
【補正対象項目名】０００７
【補正方法】変更
【補正の内容】
【０００７】
本発明に係る空気調和機は、空気吸込口および空気吹出口が形成された室内機本体と、前記空気吸込口から空気を吸い込み、前記空気吹出口から吹き出す送風機と、前記空気吸込口から吸い込まれた空気を熱交換する熱交換器と、前記熱交換器の下方に設けられ、前記熱交換器から生成されるドレン水を捕集するドレンパンと、前記ドレンパン上に配置され、ドレン水に対して抗菌効果をもたらす抗菌剤を収納する抗菌剤ケースと、を備え、前記抗菌剤ケースは、底面側の側面がメッシュになっており、前記抗菌剤ケースのメッシュ間隔の大きさは、初期の抗菌剤長の０．２５倍以上０．６２５倍以下であり、１年後の抗菌剤長の０．４倍以上１．０倍以下である。
【手続補正２】
【補正対象書類名】特許請求の範囲
【補正対象項目名】全文
【補正方法】変更
【補正の内容】
【特許請求の範囲】
【請求項１】
空気吸込口および空気吹出口が形成された室内機本体と、
前記空気吸込口から空気を吸い込み、前記空気吹出口から吹き出す送風機と、
前記空気吸込口から吸い込まれた空気を熱交換する熱交換器と、
前記熱交換器の下方に設けられ、前記熱交換器から生成されるドレン水を捕集するドレンパンと、
前記ドレンパン上に配置され、ドレン水に対して抗菌効果をもたらす抗菌剤を収納する抗菌剤ケースと、を備え、
前記抗菌剤ケースは、底面側の側面がメッシュになっており、
前記抗菌剤ケースのメッシュ間隔の大きさは、初期の抗菌剤長の０．２５倍以上０．６２５倍以下であり、１年後の抗菌剤長の０．４倍以上１．０倍以下である
空気調和機。
【請求項２】
前記抗菌剤ケースは、底面がメッシュになっている
請求項１に記載の空気調和機。
【請求項３】
前記抗菌剤ケースの前記メッシュは、少なくとも２つのメッシュ間隔を有し、
下側の方が上側よりもメッシュ間隔が小さい
請求項１または２に記載の空気調和機。
【国際調査報告】
2019159284.tif 000011
2019159284.tif 000012
2019159284.tif 000013
2019159284.tif 000014